(57)【特許請求の範囲】
【請求項１】
対向して配置した複数の第１電極及び複数の第２電極を有し、前記複数の第１電極及び前記複数の第２電極は、前記液晶表示素子の一辺側に並んで配列された複数の第１端子及び複数の第２端子に夫々接続されているとともに、前記複数の第２電極は、前記一辺方向に沿って配置され、かつ、前記複数の第１電極は、前記複数の第２電極に交差するように配置されており、前記複数の第２端子は、第３端子及び第４端子を含み、前記複数の第１端子は前記第３端子及び前記第４端子に挟まれてなり、前記第２電極のうち前記第３端子に接続された電極は、前記第４端子に接続された電極に挟まれてなり、前記第１端子は第１のドライバーＩＣに、前記第２端子は複数の第２のドライバーＩＣに夫々接続されてなり、前記第１のドライバーＩＣは、前記複数の第２のドライバーＩＣに挟まれてなることを特徴とする液晶表示装置。
【請求項２】
請求項１に記載の液晶表示装置を搭載したことを特徴とするページャー。
【請求項３】
請求項１に記載の液晶表示装置を搭載したことを特徴とするハンディーターミナル。
【発明の詳細な説明】
【０００１】
【発明の属する技術分野】
本発明は、液晶表示装置に関する。更にはその液晶表示装置を備えたページャー、及びハンディターミナルに関する。
【０００２】
【従来の技術】
従来の液晶表示装置は、図３に示すようにＩＣチップをＴＡＢ実装したパッケージ１６か、または通常のリードフレームへワイヤーボンディングしたパッケージ１６をプリント配線基板１５（以下ＰＣＢと略す）へ半田付けし、ラバーコネクタ１４や熱圧着フレキシブルコネクタ（以下ヒートシールと呼ぶ）等により液晶表示素子１と接続していた。あるいは図４に示すようにセグメント用ＴＡＢテープ１７とコモン用ＴＡＢテープ１８を異方性導電膜５で液晶表示素子と接続していた。ここで、液晶表示素子とは液晶を一対の電極により挟持した部分を指し、液晶表示装置とはドライバー部分も加わった全体を指し示すこととする。
【０００３】
【発明が解決しようとする課題】
上記従来技術は図３のようにＰＣＢを必ず必要とし、液晶表示素子との接続はラバーコネクタやヒートシールが必要となっていた。あるいは図４のようにＴＡＢテープを最低２種類必要としていた。そのため構造的に複雑になってしまい、部品点数が増えコスト高となっていた。そこで本発明はこのような問題点を解決するもので、その目的とするところは構造を簡素化すると共に、見栄えがよく、そして高品質な画像表示が可能な液晶表示装置を提供することにある。
【０００４】
【課題を解決するための手段】
本発明の液晶表示装置は、対向して配置した複数の第１電極及び複数の第２電極を有し、前記複数の第1電極及び前記複数の第2電極は、前記液晶表示素子の一辺側に並んで配列された複数の第1端子及び複数の第2端子に夫々接続されているとともに、前記複数の第2電極は、前記一辺方向に沿って配置され、かつ、前記複数の第1電極は、前記複数の第2電極に交差するように配置されており、前記複数の第２端子は、第３端子及び第４端子を含み、前記複数の第１端子は前記第３端子及び前記第４端子に挟まれてなり、前記第２電極のうち前記第３端子に接続された電極は、前記第４端子に接続された電極に挟まれてなり、前記第１端子は第１のドライバーＩＣに、前記第２端子は複数の第２のドライバーＩＣに夫々接続されてなり、前記第１のドライバーＩＣは、前記複数の第２のドライバーＩＣに挟まれてなることを特徴とする。
【０００５】
【作用】
本発明によれば、第１端子又は第２端子の一方を他方の両側に振り分けたので、表示領域を液晶表示素子の中心位置にすることが可能となる。また、第３端子に接続された電極が、第４端子に接続された電極に挟まれてなるので、互いに隣り合う第３端子に接続された電極と、第４端子に接続された電極との間で配線長さの差が小さくなる。
【０００６】
【実施例】
〔参考例〕
本発明の参考例を図１に示し説明する。説明を容易とするためにセグメント電極数を５本とし、コモン電極数を３本とする。いうまでもなくこれらの電極数、形状等は製品に応じて任意に選ぶことができる。液晶表示素子１はドライバーＩＣ７が実装されたＴＡＢテープ８と異方性導電膜５によって機械的かつ電気的に接続されている。
【０００７】
するとセグメント出力電圧はドライバーＩＣ７からＴＡＢテープ８のパターンに伝達され、異方性導電膜５を介してセグメント電極２に伝達される。コモン電極３は図１で手前にあるので実線で示し、セグメント電極２は背面にあるので破線で示してある。一方コモン出力電圧はドライバーＩＣ７からＴＡＢテープ８のパターンに伝達され、異方性導電膜５を介して一旦セグメント端子６に伝達される。続いて上下導通剤４により対向するコモン電極３へ伝達される。なおＴＡＢテープ８は液晶表示装置と平面的（０゜）に配置してあるが、ＴＡＢテープの特徴である柔軟性を生かして９０゜折り曲げて配置したり、１８０゜折り曲げて配置してもよい。
【０００８】
〔実施例〕
本発明の実施例を図２に示し説明する。参考例ではドライバーＩＣ７がセグメントとコモンの両方の出力をもっていたが、図２ではそれぞれ単独の種類の出力を持つドライバーＩＣ１０、１１、１２を複数使って組み合わせている。
ドライバーＩＣ１０はセグメント出力のみを持ち、ドライバーＩＣ１１、１２はコモン出力のみを持つ。液晶表示素子１はドライバーＩＣ１０、１１、１２が実装されたＴＡＢテープ８と異方性導電膜５によって機械的かつ電気的に接続されている。
【０００９】
また、ここで述べた実施例の他にも各種の組合せを個々の製品に応用していくことができる。
【００１０】
【発明の効果】
以上説明したように本発明は、（ｉ）複数の第2端子は、第3端子及び第4端子を含み、複数の第1端子は第3端子及び第4端子に挟まれてなり、（ii）第3端子に接続された電極は、第4端子に接続された電極に挟まれてなり、（iii）第１のドライバーＩＣは、前記複数の第２のドライバーＩＣに挟まれてなるので、表示領域を液晶表示素子の中心位置にすることが可能となり、その結果デザイン的にバランスのとれた液晶表示素子が実現することができるとともに、第1電極と第1端子との間の配線、ならびに、第2電極と第3端子との間、および、第2電極と第4端子との間の配線を、短くすることができる。更には、互いに隣り合う第3端子に接続された電極と、第4端子に接続された電極との間で配線長さの差が小さくなり、画面内で明るさが急激に変化する部分がなくなり、表示品質が良好な液晶表示素子が実現する。また、（iii）第１端子は第１のドライバーＩＣに、第２端子は第２のドライバーＩＣに接続されてなるので、出カパターン数が増加したとしても対応できる。
【図面の簡単な説明】
【図１】参考例に係る液晶表示装置でドライバーＩＣを１つ使用した例の平面図。
【図２】実施例に係る液晶表示装置でドライバーＩＣを複数使用した例の平面図。
【図３】従来のラバーコネクタを使用した液晶表示装置の断面図。
【図４】従来のＴＡＢテープを２種類使用した液晶表示装置の平面図。
【符号の説明】
１．液晶表示素子
２．セグメント電極
３．コモン電極
４．上下導通剤
５．異方性導電膜
６．セグメント端子
７．（コモン、セグメント兼用）ドライバーＩＣ
８．ＴＡＢテープ
９．入力端子
１０．セグメントドライバーＩＣ
１１．コモンドライバーＩＣ
１２．コモンドライバーＩＣ
１３．押え枠
１４．ラバーコネクタ
１５．ＰＣＢ
１６．パッケージ（ＴＡＢ実装またはリードフレーム＋ワイヤーボンディング）
１７．セグメント用ＴＡＢテープ
１８．コモン用ＴＡＢテープ
１９．セグメント用ＴＡＢ入力端子
２０．コモン用ＴＡＢ入力端子
【図１】
0003733334.tif 000002
【図２】
0003733334.tif 000003
【図３】
0003733334.tif 000004
【図４】
0003733334.tif 000005